(57)【要約】      （修正有）【課題】従来の枕の支持不足によって使用者の頭頸姿勢が悪くなり、いびきをかく状況を発生させやすい点を有効に改善し、それによって頭・頸部圧力を緩和する効果を有する枕を提供する。【解決手段】枕本体１０を含み、枕本体１０は、ヘッドレスト部１１、ネックレスト部１２及び両側臥位部１３を含み、これら各部の間の溝によって、各部間の独立性を提供し、睡眠中に使用者が頭部を移動できるようにする場合、各部が同時に陥没を伴って支持不足を引き起こして容易に頭部を移動させることで睡眠の質を低下させるという問題を引き起こさず、好ましくは、ネックレスト部１２がヘッドレスト部１１より高く、突起状を形成し、使用者の仰臥時に上気道の疎通を有効に維持し、いびきをかく状況を減少させる効果を果たすことができる。【選択図】図１
0003216091.tif 000002
【実用新案登録請求の範囲】
【請求項１】
枕本体を含み、前記枕本体は、
凹んだ曲面を有するヘッドレスト部と、
第１の溝を隔てて前記ヘッドレスト部と隣り合い、直線的に相対するネックレスト部と、
それぞれ第２の溝を隔てて、前記ヘッドレスト部および前記ネックレスト部と隣り合い、かつ対称に設置され、それぞれ前記ヘッドレスト部および前記ネックレスト部に近い位置にチークレスト凹陥部を設けた２つの側臥位部とを含む、頭・頸部圧力を緩和する効果を有する枕。
【請求項２】
前記ネックレスト部の頂面は、中程に近い部位が左、右両側の部位より低く、かつ前記ネックレスト部の中程部位に頂面から下向きに隙間を凹設した、請求項１に記載の頭・頸部圧力を緩和する効果を有する枕。
【請求項３】
前記ヘッドレスト部には、間隔をおいて設置された複数の通気孔を穿設した、請求項２に記載の頭・頸部圧力を緩和する効果を有する枕。
【請求項４】
各側臥位部に貫通孔を設け、前記貫通孔は前記側臥位部のチークレスト凹陥部から下向きに貫通する、請求項１から３のいずれか１項に記載の頭・頸部圧力を緩和する効果を有する枕。
【請求項５】
少なくとも１つのパッドセットを含み、前記少なくとも１つのパッドセットは前記枕本体の下方に設置される、請求項４に記載の頭・頸部圧力を緩和する効果を有する枕。
【請求項６】
前記少なくとも１つのパッドセットは、３枚の同一の厚さのクッションを含み、そのうち２枚は前記枕本体の２つの側臥位部下方に設置され、残り１枚は前記ヘッドレスト部および前記ネックレスト部の下方に設置される、請求項５に記載の頭・頸部圧力を緩和する効果を有する枕。
【請求項７】
少なくとも１つのパッドセットを含み、前記少なくとも１つのパッドセットは前記枕本体の下方に設置される、請求項１から３のうちいずれか１項に記載の頭・頸部圧力を緩和する効果を有する枕。
【請求項８】
前記少なくとも１つのパッドセットは、３枚の同一の厚さのクッションを含み、そのうち２枚は前記枕本体の２つの側臥位部下方に設置され、残り１枚は前記ヘッドレスト部および前記ネックレスト部の下方に設置される、請求項７に記載の頭・頸部圧力を緩和する効果を有する枕。
【請求項９】
前記２つの側臥位部にそれぞれ１つの当接壁を設け、前記２つの当接壁は、前記ネックレスト部の側壁と隣り合い、また前記枕本体の同じ側に位置し、各当接壁は内凹して弧度を有する側壁を形成する、請求項８に記載の頭・頸部圧力を緩和する効果を有する枕。
【請求項１０】
前記２つの側臥位部にそれぞれ１つの当接壁を設け、前記２つの当接壁は、前記ネックレスト部の側壁と隣り合い、また前記枕本体の同じ側に位置し、各当接壁は内凹して弧度を有する側壁を形成する、請求項４に記載の頭・頸部圧力を緩和する効果を有する枕。
【考案の詳細な説明】
【技術分野】
【０００１】
本実用新案は枕であり、特に被覆性および支持性を高めることができ、かつ使用者がいびきをかく状況を有効に減少させることができる、頭・頸部圧力を緩和する効果を有する枕である。
【考案の概要】
【考案が解決しようとする課題】
【０００２】
従来の枕は、枕本体の平面または曲面によって、使用者を該枕本体上に仰臥させるが、使用者が該枕本体上に寝た場合、該枕本体上で使用者の頭部のある位置付近も押圧を受けて陥没を伴い、従来の枕の使用者の頭・頸部に対する支持不足の効果を引き起こす。
【０００３】
さらに、使用者が呼吸する過程において、気流が上気道、すなわち鼻咽腔から喉頭蓋軟骨までの間を通過する場合、気流が妨害されれば、いびきをかく状況が発生し、睡眠中は全身の筋肉が弛緩するため、使用者の喉部筋肉の張力が不足する場合、舌根が軟口蓋、口蓋垂、軟口蓋または咽頭壁に触れれば、気流が妨害され、さらに振動を引き起こしていびきが発生する。従来の枕では使用者の頭・頸部に対する支持が不足するため、使用者の睡眠時の姿勢を調節することができず、かつ使用者の頸部、頭部を圧迫しやすく、使用者の上気道の疎通を維持することができなくなり、さらにいびきをかく状況を発生させやすく、使用者の睡眠の質にも影響を及ぼす。以上をまとめれば、従来の枕には間違いなく改良すべき点がある。
【課題を解決するための手段】
【０００４】
従来の枕の、使用者の頭・頸部に対する支持効果不足、また、使用者の睡眠時の姿勢を調節することができず、ひいては使用者の上気道の疎通を維持することが難しくなる点を解決するため、本実用新案は、枕本体をヘッドレスト部、ネックレスト部および２つの側臥位部など４つのブロックに区分し、従来の枕が使用者の頭部付近で陥没を伴いやすく、十分な支持効果を提供することができない、という欠点を有効に改善する。さらなる説明は以下のとおりである。
【０００５】
本実用新案は、頭・頸部圧力を緩和する効果を有する枕であり、それは枕本体を含み、該枕本体は、ヘッドレスト部と、ネックレスト部と、２つの側臥位部とを含み、ここで、
該ヘッドレスト部は、凹んだ曲面を有し、
該ネックレスト部は、第１の溝を隔てて該ヘッドレスト部と隣り合い、直線的に相対し、さらに、
該２つの側臥位部は、それぞれ第２の溝を隔てて、該ヘッドレスト部および該ネックレスト部と隣り合い、かつ該２つの側臥位部は対称に設置され、各側臥位部は該ヘッドレスト部および該ネックレスト部に近い位置にチークレスト凹陥部を設ける。
【０００６】
さらに、上記頭・頸部圧力を緩和する効果を有する枕の該ネックレスト部の頂面は、中程に近い部位が左、右両側の部位より低く、かつ該ネックレスト部の中程部位に頂面から下向きに隙間を凹設する。
【０００７】
さらに、上記頭・頸部圧力を緩和する効果を有する枕の該ヘッドレスト部には、間隔を置いて設置された複数の通気孔を穿設する。
【０００８】
さらに、上記頭・頸部圧力を緩和する効果を有する枕の各側臥位部に貫通孔を設け、該貫通孔は該側臥位部のチークレスト凹陥部から下向きに貫通する。
【０００９】
またさらに、上記頭・頸部圧力を緩和する効果を有する枕は、少なくとも１つのパッドセットを含み、該少なくとも１つのパッドセットは該枕本体の下方に設置される。
【００１０】
好ましくは、上記頭・頸部圧力を緩和する効果を有する枕の該少なくとも１つのパッドセットは、３枚の同一の厚さのクッションを含み、そのうち２枚は該枕本体の２つの側臥位部下方に設置され、残り１枚は該ヘッドレスト部および該ネックレスト部の下方に設置される。
【００１１】
好ましくは、上記頭・頸部圧力を緩和する効果を有する枕の該２つの側臥位部にそれぞれ１つの当接壁を設け、該２つの当接壁は、該ネックレスト部の側壁と隣り合い、また該枕本体の同じ側に位置し、各当接壁は内凹して弧度を有する側壁を形成する。
【考案の効果】
【００１２】
上記技術的特徴によって、本実用新案は、該枕本体のヘッドレスト部、ネックレスト部ならびに２つの側臥位部の間の該第１の溝および該２つの第２の溝によって、各部間の独立性を提供し、睡眠中に使用者が頭部を移動できるようにする場合、各部が同時に陥没を伴って支持不足を引き起こして容易に頭部を移動させることで睡眠の質を低下させる、という問題を引き起こすことはない。さらに、該通気孔、該隙間および該２つの貫通孔の設置によって、使用者の睡眠時の通気性、快適性を高め、使用者の頸椎および耳に圧迫を引き起こすこともない。好ましくは、該ネックレスト部は該ヘッドレスト部より高く、突起状を形成し、使用者の仰臥時に、頭部が後ろ向きにのけぞるストレッチ角度を増加させ、安定した支持を提供し、上気道の疎通を有効に維持し、上気道の抵抗を低下させ、さらにいびきをかく状況を減少させる効果を果たすことができる。このため、本実用新案は、従来の枕の、支持不足によって使用者の頭頸姿勢が悪くなり、いびきをかく状況を発生させやすい点を有効に改善し、それによって頭・頸部圧力を緩和する効果を有する枕を提供する。
【図面の簡単な説明】
【００１３】
【図１】本実用新案の第１の好適な実施例の立体外観図である。
【図２】本実用新案の第１の好適な実施例の外観俯瞰図である。
【図３】本実用新案の第１の好適な実施例の使用状態概略図である。
【図４】本実用新案の第１の好適な実施例のもう１つの使用状態概略図である。
【図５】本実用新案の第２の好適な実施例の立体分解図である。
【考案を実施するための形態】
【００１４】
本実用新案の技術的特徴および実用効果を詳細に理解することができるように、また、明細書の内容に従って実現することができるように、ここでさらに図面に示す好適な実施例によって以下のように詳細な説明を行う。
【００１５】
本実用新案は、頭・頸部圧力を緩和する効果を有する枕であり、その第１の好適な実施例は図１および図２に示すとおりであり、枕本体１０を含み、該枕本体１０は、ヘッドレスト部１１と、ネックレスト部１２と、２つの側臥位部１３とを含み、ここで、各部間は第１の溝１０１および２つの第２の溝１０２によって隔てられ、該ヘッドレスト部１１と該ネックレスト部１２とは直線的に相対し、該２つの側臥位部１３は、該ヘッドレスト部１１および該ネックレスト部１２の左、右両側に対称設置される。
【００１６】
該ヘッドレスト部１１は、凹んだ曲面を有し、間隔をおいて設置された複数の通気孔１１１を貫通設置し、該ネックレスト部１２は、該第１の溝１０１を隔てて該ヘッドレスト部１１と隣り合い、直線的に相対し、該ネックレスト部１２の頂面の中程に近い部位は、左、右両側の部位より低く、かつ該ネックレスト部１２の頂面は、該ヘッドレスト部１１の頂面より高く、該ネックレスト部１２の中程部位には、頂面から下向きに隙間１２１を凹設し、かつ該隙間１２１の深さは該第１の溝１０１より小さい。
【００１７】
該２つの側臥位部１３は、それぞれ第２の溝１０２を隔てて該ヘッドレスト部１１および該ネックレスト部１２と隣り合い、かつ該２つの側臥位部１３は、対称に設置され、各側臥位部１３にチークレスト凹陥部１３１と、貫通孔１３２と、当接壁１３３とを設け、ここで、該チークレスト凹陥部１３１は、該側臥位部１３の該ヘッドレスト部１１およびネックレスト部１２に近い位置に凹設され、該貫通孔１３２は、該チークレスト凹陥部１３１から下向きに貫通し、かつ使用者の頬が該チークレスト凹陥部１３１にぴったりと貼り付いた場合、該貫通孔１３２は該チークレスト凹陥部１３１上の使用者の耳に対応する位置にあり、該当接壁１３３は、該側臥位部１３の側壁であり、かつ該枕本体１０の外周縁上にあり、また該枕本体１０の該ネックレスト部１２の側壁と同一側にあり、かつ各当接壁１３３は、内凹して弧度を有する側壁を形成する。
【００１８】
図３を参照されたい。使用者が該枕本体１０上に寝て、両肩がそれぞれ該２つの側臥位部１３の当接壁１３３に当接した場合、使用者の後頭部は、該ヘッドレスト部１１によって支持され、該ヘッドレスト部１１の曲面によって、使用者の頭は睡眠中に該枕本体１０上でスリップしやすくならないようにされ、また使用者の頸部は、該ネックレスト部１２によって支持され、該ネックレスト部１２の両側が中程より高い形状によって、使用者の頸の後ろを被覆し、さらに該隙間１２１によって、該ネックレスト部１２が使用者の頸椎を圧迫するのを防ぐことができる。好ましくは、図４に示すように、使用者が睡眠中に寝返りを打って側臥位姿勢を形成した場合、その頬は該チークレスト凹陥部１３１にぴったりと貼り付き、該２つの貫通孔１３２の設置によって、使用者の耳が圧迫されるのを防ぐことができる。
【００１９】
本実用新案に関する第２の好適な実施例は図５に示すとおりであり、第１の好適な実施例との差異は、使用者が高い枕で寝ることに慣れている場合、該枕本体１０の下側に少なくとも１つのパッドセット２０を組み付けて使用してもよく、該少なくとも１つのパッドセット２０は、３枚の同一の厚さのクッションを有し、そのうち２枚はそれぞれ該枕本体１０の２つの側臥位部１３の下方に設置され、残り１枚は該ヘッドレスト部１１およびネックレスト部１２の下方に設置され、該少なくとも１つのパッドセット２０によって、使用者に異なる高さで該枕本体１０の効果を利用させることができる効果にあり、かつ第２の好適な実施例において、該頭・頸部圧力を緩和する効果を有する枕は、異なる高さの複数のパッドセット２０を同時に組み付けることができ、それによって、習慣が異なる使用者に高さを調節させ、該枕本体１０を利用させる。
【００２０】
上記技術的特徴によって、本実用新案は、該枕本体１０のヘッドレスト部１１、ネックレスト部１２ならびに２つの側臥位部１３の間の該第１の溝１０１および該２つの第２の溝１０２によって、各部間の独立性を提供し、睡眠中に使用者が頭部を移動できるようにする場合、各部が同時に陥没を伴って支持不足を引き起こして容易に頭部を移動させることで睡眠の質を低下させる、という問題を引き起こすことはない。さらに、該通気孔１１１、該隙間１２１および該２つの貫通孔１３２の設置によって、使用者の睡眠時の通気性、快適性を高め、使用者の頸椎および耳に圧迫を引き起こすこともない。好ましくは、該ネックレスト部１２は該ヘッドレスト部１１より高く、突起状を形成し、使用者の仰臥時に、頭部が後ろ向きにのけぞるストレッチ角度を増加させ、安定した支持を提供し、上気道の疎通を有効に維持し、上気道の抵抗を低下させ、さらにいびきをかく状況を減少させる効果を果たす。このため、本実用新案は、従来の枕の、支持不足によって使用者の頭頸姿勢が悪くなり、いびきをかく状況を発生させやすい点を有効に改善し、それによって頭・頸部圧力を緩和する効果を有する枕を提供する。
【００２１】
以上で述べたのは、本実用新案の好適な実施例にすぎず、本実用新案に対するいかなる形の制限でもない。属する技術分野において通常の知識を有するいかなる者も、本実用新案が提供する技術方案の範囲を逸脱することなく、本実用新案が開示する技術内容を利用して、局部を変更するかまたは修飾した等価実施例を行い、本実用新案の技術方案内容を逸脱していない場合、やはりすべて本実用新案の技術方案の範囲内に属する。
【符号の説明】
【００２２】
１０    枕本体
１０１  第１の溝
１０２  第２の溝
１１    ヘッドレスト部
１１１  通気孔
１２    ネックレスト部
１２１  隙間
１３    側臥位部
１３１  チークレスト凹陥部
１３２  貫通孔
１３３  当接壁
２０    パッドセット
【図１】
0003216091.tif 000003
【図２】
0003216091.tif 000004
【図３】
0003216091.tif 000005
【図４】
0003216091.tif 000006
【図５】
0003216091.tif 000007